(57)【要約】  登録受付部（１０１）によって駐車場の所有者から貸与駐車場に関する情報を受け付ける。また、貸与可能情報受付部（１０２）によって所有者から貸与駐車場の貸与可能情報を受け付けて、管理部（１０３）によって貸与駐車場の空き状況を管理する。そして、貸与依頼情報受信部（１０４）によって利用者の有する端末装置（１２０）から貸与駐車場の貸与依頼情報を受信した場合、検索部（１０５）によって、貸与依頼情報に応じた貸与駐車場を検索する。さらに、送信部（１０６）によって検索された貸与駐車場に関する情報を端末装置（１２０）に送信する。
2010119509.tif 000002
【特許請求の範囲】
【請求項１】
駐車場の所有者から貸与可能な駐車場（以下、貸与駐車場とする）に関する情報の登録を受け付ける登録受付手段と、
前記所有者から前記貸与駐車場の貸与可能な条件を示す貸与可能情報を受け付ける貸与可能情報受付手段と、
前記貸与可能情報に基づいて、前記貸与駐車場の空き状況を管理する管理手段と、
利用者の有する端末装置から前記貸与駐車場の貸与を依頼するための貸与依頼情報を受信する貸与依頼情報受信手段と、
前記管理手段によって管理された前記貸与駐車場の空き状況に基づいて、前記貸与依頼情報受信手段によって受信された前記貸与依頼情報に応じた前記貸与駐車場を検索する検索手段と、
前記検索手段によって検索された前記貸与駐車場に関する情報を前記端末装置に送信する送信手段と、
を備えることを特徴とする駐車場管理装置。
【請求項２】
前記貸与可能情報受付手段は、前記貸与駐車場に備えられた電動式車両の充電設備の貸与可否に関する充電設備情報を受け付け、
前記管理手段は、前記駐車場の空き状況とともに、前記充電設備情報を管理し、
前記貸与依頼情報受信手段は、前記端末装置から、前記利用者が前記充電設備を使用するか否かに関する充電情報を含む前記貸与依頼情報を受信し、
前記検索手段は、前記管理手段によって管理された前記貸与駐車場の空き状況および前記充電設備情報に基づいて、前記貸与依頼情報受信手段によって受信された、前記充電情報を含む前記貸与依頼情報に応じた前記貸与駐車場を検索することを特徴とする請求項１に記載の駐車場管理装置。
【請求項３】
前記管理手段は、複数の前記貸与駐車場の空き状況を当該貸与駐車場または前記所有者の属性ごとに管理し、
前記検索手段は、同様の属性に含まれる前記貸与駐車場の中から、前記貸与依頼情報に応じた前記貸与駐車場を検索することを特徴とする請求項２に記載の駐車場管理装置。
【請求項４】
前記貸与可能情報受付手段は、前記所有者から前記貸与駐車場の前記貸与可能情報の変更に関する情報を受け付け、
前記送信手段は、前記端末装置に、前記貸与駐車場の前記貸与可能情報の変更に関する情報を送信することを特徴とする請求項２または３に記載の駐車場管理装置。
【請求項５】
前記貸与可能情報受付手段は、前記貸与駐車場の所有者が、当該貸与駐車場に通常駐車している車両によって目的地点までの往復にかかる時間および当該目的地点における滞在予定時間を前記貸与可能情報として受け付けることを特徴とする請求項４に記載の駐車場管理装置。
【請求項６】
車両が前記貸与駐車場に到着したか否かを判断する判断手段と、
前記判断手段によって前記車両が前記貸与駐車場に到着したと判断された場合、当該車両の搭乗者が当該貸与駐車場の利用者か否かを認証する認証手段と、
前記認証手段によって前記貸与駐車場の利用者であると認証された場合、当該利用者に当該貸与駐車場の貸与を許可する許可手段と、
を備えることを特徴とする請求項５に記載の駐車場管理装置。
【請求項７】
前記検索手段は、前記貸与駐車場の前記貸与可能情報の変更によって、変更後の貸与可能な日時に、前記貸与依頼情報に含まれる貸与依頼日時が収まらなくなった場合、前記管理手段によって管理された前記貸与駐車場の空き状況に基づいて、変更後の貸与可能な日時に収まらなくなった分の時間に空いている他の貸与駐車場を検索することを特徴とする請求項４〜６のいずれか一つに記載の駐車場管理装置。
【請求項８】
駐車場の所有者から貸与可能な駐車場（以下、貸与駐車場とする）に関する情報の登録を受け付けて前記貸与駐車場の空き状況を管理する駐車場管理装置に、前記貸与駐車場の貸与を依頼するための貸与依頼情報を送信する端末装置であって、
利用者から、前記貸与駐車場の利用日時、利用位置および電動式車両の充電設備の利用に関する利用情報を受け付ける利用情報受付手段と、
前記利用情報受付手段によって受け付けられた前記利用情報に基づいて、前記貸与駐車場の前記貸与依頼情報を生成する生成手段と、
前記生成手段によって生成された前記貸与依頼情報を前記駐車場管理装置に送信し、前記貸与依頼情報に応じた前記貸与駐車場に関する情報を受信する通信手段と、
出力部を制御して、前記通信手段によって受信された前記貸与駐車場に関する情報を出力する制御手段と、
を備えることを特徴とする端末装置。
【請求項９】
駐車場の所有者から貸与可能な駐車場（以下、貸与駐車場とする）に関する情報の登録を受け付ける登録受付工程と、
前記所有者から前記貸与駐車場の貸与可能な条件を示す貸与可能情報を受け付ける貸与可能情報受付工程と、
前記貸与可能情報に基づいて、前記貸与駐車場の空き状況を管理する管理工程と、
利用者の有する端末装置から前記貸与駐車場の貸与を依頼するための貸与依頼情報を受信する貸与依頼情報受信工程と、
前記貸与駐車場の空き状況に基づいて、前記貸与依頼情報受信工程によって受信された前記貸与依頼情報に応じた前記貸与駐車場を検索する検索工程と、
前記検索工程によって検索された前記貸与駐車場に関する情報を前記端末装置に送信する送信工程と、
を含むことを特徴とする駐車場管理方法。
【請求項１０】
駐車場の所有者から貸与可能な駐車場（以下、貸与駐車場とする）に関する情報の登録を受け付けて前記貸与駐車場の空き状況を管理する駐車場管理装置に、前記貸与駐車場の貸与を依頼するための貸与依頼情報を送信する端末装置における貸与依頼情報送信方法であって、
利用者から、前記貸与駐車場の利用日時、利用位置および電動式車両の充電設備の利用に関する利用情報を受け付ける利用情報受付工程と、
前記利用情報受付工程によって受け付けられた前記利用情報に基づいて、前記貸与駐車場の前記貸与依頼情報を生成する生成工程と、
前記生成工程によって生成された前記貸与依頼情報を前記駐車場管理装置に送信する送信工程と、
前記貸与依頼情報に応じた前記貸与駐車場に関する情報を受信する受信工程と、
出力部を制御して、前記受信工程によって受信された前記貸与駐車場に関する情報を出力する制御工程と、
を含むことを特徴とする貸与依頼情報送信方法。
【請求項１１】
請求項９に記載の駐車場管理方法をコンピュータに実行させることを特徴とする駐車場管理プログラム。
【請求項１２】
請求項１０に記載の貸与依頼情報送信方法をコンピュータに実行させることを特徴とする貸与依頼情報送信プログラム。
【請求項１３】
請求項１１に記載の駐車場管理プログラムまたは請求項１２に記載の貸与依頼情報送信プログラムを記録したことを特徴とするコンピュータに読み取り可能な記録媒体。
【発明の詳細な説明】
【技術分野】
【０００１】
この発明は、貸与可能な駐車場を検索する駐車場管理装置、端末装置、駐車場管理方法、貸与依頼情報送信方法、駐車場管理プログラム、貸与依頼情報送信プログラムおよび記録媒体に関する。ただし、この発明の利用は、上述した駐車場管理装置、端末装置、駐車場管理方法、貸与依頼情報送信方法、駐車場管理プログラム、貸与依頼情報送信プログラムおよび記録媒体には限られない。
【背景技術】
【０００２】
従来、駐車施設に設けられた複数の各車庫の属性および利用の状況を示す車庫情報を記憶し、ユーザ端末によって送信される、車庫の属性を示す属性情報を受信する駐車場管理装置が提案されている（たとえば、下記特許文献１参照。）。この駐車場管理装置は、属性情報と車庫の利用の状況に基づいて、利用者が所望しかつ利用可能である車庫を検索し、この車庫を予約したことを示す予約情報を記憶する。
【先行技術文献】
【特許文献】
【０００３】
【特許文献１】特開２００５−４３９５８号公報
【発明の概要】
【発明が解決しようとする課題】
【０００４】
しかしながら、上述した特許文献１の技術では、たとえば営利目的の、車庫が複数ある駐車施設からのみ、利用者が所望する車庫を検索するため、利用者の目的地点の周辺に営利目的の駐車施設がない場合、車庫を検索できない。したがって、たとえば目的地点の周辺に個人・法人が所有する車庫があり、この車庫が貸与可能な状況であっても、目的地点から比較的遠い営利目的の駐車施設に設けられた車庫を予約されてしまうため、車両を駐車してから目的地点まで到達するのに時間がかかるという問題がある。【０００５】
なお、上述した問題は、車両の種類によらないが、特に電動式車両において顕在化することが想定される。すなわちガソリン車両に代わって電動式車両が今後普及していくと想定されるが、特に地方都市や山間部などの大都市以外の地域では、電動式車両の充電インフラの整備が間に合わない恐れがあり、自宅以外の目的地点周辺で利用者が充電インフラを利用できない問題が想定される。
【課題を解決するための手段】
【０００６】
上述した課題を解決し、目的を達成するため、請求項１の発明にかかる駐車場管理装置は、駐車場の所有者から貸与可能な駐車場（以下、貸与駐車場とする）に関する情報の登録を受け付ける登録受付手段と、前記所有者から前記貸与駐車場の貸与可能な条件を示す貸与可能情報を受け付ける貸与可能情報受付手段と、前記貸与可能情報に基づいて、前記貸与駐車場の空き状況を管理する管理手段と、利用者の有する端末装置から前記貸与駐車場の貸与を依頼するための貸与依頼情報を受信する貸与依頼情報受信手段と、前記管理手段によって管理された前記貸与駐車場の空き状況に基づいて、前記貸与依頼情報受信手段によって受信された前記貸与依頼情報に応じた前記貸与駐車場を検索する検索手段と、前記検索手段によって検索された前記貸与駐車場に関する情報を前記端末装置に送信する送信手段と、を備えることを特徴とする。【０００７】
また、請求項８の発明にかかる端末装置は、駐車場の所有者から貸与可能な駐車場（以下、貸与駐車場とする）に関する情報の登録を受け付けて前記貸与駐車場の空き状況を管理する駐車場管理装置に、前記貸与駐車場の貸与を依頼するための貸与依頼情報を送信する端末装置であって、利用者から、前記貸与駐車場の利用日時、利用位置および電動式車両の充電設備の利用に関する利用情報を受け付ける利用情報受付手段と、前記利用情報受付手段によって受け付けられた前記利用情報に基づいて、前記貸与駐車場の前記貸与依頼情報を生成する生成手段と、前記生成手段によって生成された前記貸与依頼情報を前記駐車場管理装置に送信し、前記貸与依頼情報に応じた前記貸与駐車場に関する情報を受信する通信手段と、出力部を制御して、前記通信手段によって受信された前記貸与駐車場に関する情報を出力する制御部と、を備えることを特徴とする。【０００８】
また、請求項９の発明にかかる駐車場管理方法は、駐車場の所有者から貸与可能な駐車場（以下、貸与駐車場とする）に関する情報の登録を受け付ける登録受付工程と、前記所有者から前記貸与駐車場の貸与可能な条件を示す貸与可能情報を受け付ける貸与可能情報受付工程と、前記貸与可能情報に基づいて、前記貸与駐車場の空き状況を管理する管理工程と、利用者の有する端末装置から前記貸与駐車場の貸与を依頼するための貸与依頼情報を受信する貸与依頼情報受信工程と、前記貸与駐車場の空き状況に基づいて、前記貸与依頼情報受信工程によって受信された前記貸与依頼情報に応じた前記貸与駐車場を検索する検索工程と、前記検索工程によって検索された前記貸与駐車場に関する情報を前記端末装置に送信する送信工程と、を含むことを特徴とする。【０００９】
また、請求項１０の発明にかかる貸与依頼情報送信方法は、駐車場の所有者から貸与可能な駐車場（以下、貸与駐車場とする）に関する情報の登録を受け付けて前記貸与駐車場の空き状況を管理する駐車場管理装置に、前記貸与駐車場の貸与を依頼するための貸与依頼情報を送信する端末装置における貸与依頼情報送信方法であって、利用者から、前記貸与駐車場の利用日時、利用位置および電動式車両の充電設備の利用に関する利用情報を受け付ける利用情報受付工程と、前記利用情報受付工程によって受け付けられた前記利用情報に基づいて、前記貸与駐車場の前記貸与依頼情報を生成する生成工程と、前記生成工程によって生成された前記貸与依頼情報を前記駐車場管理装置に送信する送信工程と、前記貸与依頼情報に応じた前記貸与駐車場に関する情報を受信する受信工程と、出力部を制御して、前記受信工程によって受信された前記貸与駐車場に関する情報を出力する制御工程と、を含むことを特徴とする。【００１０】
また、請求項１１の発明にかかる駐車場管理プログラムは、請求項９に記載の駐車場管理方法をコンピュータに実行させることを特徴とする。【００１１】
また、請求項１２の発明にかかる貸与依頼情報送信プログラムは、請求項１０に記載の貸与依頼情報送信方法をコンピュータに実行させることを特徴とする。【００１２】
また、請求項１３の発明にかかる記録媒体は、請求項１１に記載の駐車場管理プログラムまたは請求項１２に記載の貸与依頼情報送信プログラムをコンピュータに読み取り可能な状態で記録したことを特徴とする。
【図面の簡単な説明】
【００１３】
【図１】実施の形態にかかる駐車場管理装置および端末装置の機能的構成を示すブロック図である。
【図２】駐車場管理装置の駐車場管理処理手順を示すフローチャートである。
【図３】端末装置の貸与依頼情報送信処理手順を示すフローチャートである。
【図４】本実施例にかかる駐車場管理システムの概要について示す説明図である。
【図５】本実施例にかかるサーバのハードウェア構成を示すブロック図である。
【図６】本実施例にかかるナビゲーション装置のハードウェア構成を示すブロック図である。
【図７】サーバの処理の内容を示すフローチャートである。
【図８】サーバによる貸与可能時間が変更された場合の処理について示すフローチャートである。
【図９】ナビゲーション装置の処理の内容を示すフローチャートである。
【図１０】ナビゲーション装置による貸与可能時間が変更された場合の処理について示すフローチャートである。
【図１１】貸与可能情報、貸与依頼情報およびステータス情報の一例について示す説明図である。
【図１２】サーバによる貸与駐車場の貸与処理について示す説明図である。
【発明を実施するための形態】
【００１４】
以下に添付図面を参照して、この発明にかかる駐車場管理装置、端末装置、駐車場管理方法、貸与依頼情報送信方法、駐車場管理プログラム、貸与依頼情報送信プログラムおよび記録媒体の好適な実施の形態を詳細に説明する。
【００１５】
（実施の形態）
（駐車場管理装置の機能的構成）
まず、この発明の実施の形態にかかる駐車場管理装置１００の機能的構成について説明する。図１は、実施の形態にかかる駐車場管理装置および端末装置の機能的構成を示すブロック図である。まず、駐車場管理装置１００において、登録受付部１０１によって駐車場の所有者から貸与可能な駐車場（以下、貸与駐車場とする）に関する情報の登録を受け付け、さらに、貸与可能情報受付部１０２によって所有者から貸与駐車場の貸与可能な条件を示す貸与可能情報を受け付ける。そして、管理部１０３によって、貸与可能情報に基づいて、貸与駐車場の空き状況を管理する。
【００１６】
そして、端末装置１２０において、利用情報受付部１２２によって、利用者から、貸与駐車場の利用日時、利用位置および電動式車両の充電設備の利用に関する利用情報を受け付けると、生成部１２３によって、この利用情報に基づいて、貸与駐車場の貸与依頼情報を生成する。そして、通信部１２４によって貸与依頼情報を駐車場管理装置に送信する。
【００１７】
駐車場管理装置１００においては、貸与依頼情報受信部１０４によって、利用者の有する端末装置１２０から貸与依頼情報を受信すると、検索部１０５によって、管理部１０３によって管理された貸与駐車場の空き状況に基づいて、貸与依頼情報受信部１０４によって受信された貸与依頼情報に応じた貸与駐車場を検索し、検索された貸与駐車場に関する情報を端末装置１２０に送信する。
【００１８】
そして、端末装置１２０において、通信部１２４によって、貸与依頼情報に応じた貸与駐車場に関する情報を受信すると、制御部１２５によって、出力部１２１を制御して、通信部１２４によって受信された貸与駐車場に関する情報を出力する。
【００１９】
したがって、たとえば個人・法人が所有する車庫が貸与可能な場合、車庫の所有者が駐車場管理装置１００に貸与駐車場に関する情報を登録しておくことで、この車庫の周囲を目的地点とした利用者に、駐車場を貸し出すことができる。このため、利用者は、目的地点の周囲に営利目的の駐車施設がない場合でも、目的地点から比較的近い位置に個人・法人が所有する車庫がある場合は、この車庫に駐車することができる。
【００２０】
また、個人・法人が所有する車庫に電動式車両の充電インフラが設置されている場合、この車庫が貸与可能なときに貸し出すことができる。このため、利用者は、地方都市や山間部などの大都市以外で営利目的の充電インフラが少ない地域においても、目的地点の周囲で充電インフラを利用することができる。
【００２１】
図１において、駐車場管理装置１００は、登録受付部１０１と、貸与可能情報受付部１０２と、管理部１０３と、貸与依頼情報受信部１０４と、検索部１０５と、送信部１０６と、判断部１０７と、認証部１０８と、許可部１０９と、を備えている。駐車場管理装置１００は、駐車場の所有者によって登録された貸与可能な駐車場（以下、貸与駐車場とする）を管理し、端末装置１２０から送信された貸与依頼情報に応じた貸与駐車場を検索する。
【００２２】
登録受付部１０１は、駐車場の所有者から貸与駐車場に関する情報の登録を受け付ける。登録受付部１０１は、具体的には、たとえば駐車場の有無、電動式車両の充電をおこなうことができる充電設備の有無、およびこれらの貸与可否に関する情報の登録を受け付ける。また、登録受付部１０１は、貸与駐車場の位置情報を受け付けてもよい。
【００２３】
なお、登録受付部１０１は、具体的には、たとえば駐車場の所有者によって自宅などに設置されたＰＣや自身の所有するナビゲーション装置から送信された貸与駐車場に関する情報の登録を受け付ける。さらに、登録受付部１０１は、所有者の属性を受け付けてもよい。ここで「属性」とは、貸与者の有する情報のうち所定の共通事項でグループ化するための情報であり、たとえば貸与駐車場を貸与した際に生じる金額を決済する方式や、金銭のやり取りをおこなう金融機関の種類、駐車場の位置が属する地域などが挙げられる。
【００２４】
貸与可能情報受付部１０２は、所有者から貸与駐車場の貸与可能な条件を示す貸与可能情報を受け付ける。貸与可能情報は、たとえば、後述する図１１に示すように、貸与駐車場の所有者の固有情報（貸与者ＩＤ）と、貸与可能な日時（利用可能日時）と、貸与駐車場の位置情報（駐車場位置）と、を含んでいる。具体的には、たとえば、「１」の貸与者が所有する駐車場が、「緯度・経度」に位置しており、「２００×年１月１日  ９：００〜１５：００」の間は、貸与可能であるという情報である。これらの情報が、貸与者（１〜Ｎ）毎に記録されている。なお、貸与可能情報には、電動式車両の充電設備の貸与可否に関する情報（充電可否／種別）や、属性（決済方式）が含まれていてもよい。
【００２５】
貸与可能情報受付部１０２は、具体的には、たとえば貸与駐車場の貸与可能な日時を受け付ける。また、貸与可能情報受付部１０２は、貸与駐車場に備えられた電動式車両の充電設備の貸与可否に関する充電設備情報を受け付けてもよい。さらに、具体的には、貸与可能情報受付部１０２は、貸与駐車場の所有者が、貸与駐車場に通常駐車している車両によって目的地点までの往復にかかる時間および目的地点における滞在予定時間を貸与可能情報として受け付ける。
【００２６】
なお、貸与可能情報受付部１０２は、所有者から貸与駐車場の貸与可能情報の変更に関する情報を受け付けてもよい。ここで、貸与可能情報の変更に関する情報は、実際に変更された貸与可能情報に関する情報でもよいし、変更される可能性に関する情報を受け付けてもよい。
【００２７】
管理部１０３は、貸与駐車場の貸与可能情報に基づいて、貸与駐車場の空き状況を管理する。管理部１０３は、貸与駐車場の位置情報および貸与可能な日時に基づいて、貸与駐車場の空き状況を管理する。すなわち、管理部１０３は、各所有者の貸与駐車場が、どこにあり、何時から何時まで空いているかを管理することができる。
【００２８】
また、管理部１０３は、複数の貸与駐車場の空き状況を貸与駐車場または所有者の属性ごとに管理してもよい。また、管理部１０３は、複数の貸与駐車場の空き状況を、貸与駐車場の位置情報に基づいた地域ごとに管理してもよい。さらに、管理部１０３は、駐車場の空き状況とともに、充電設備情報を管理してもよい。
【００２９】
また、管理部１０３は、ステータス管理部１１０を備えていてもよい。ステータス管理部１１０は、後述する図１１に示すステータス情報を管理している。ステータス情報とは、たとえば、どの駐車場にだれが貸与を受けているかを管理する情報であり、貸与駐車場の所有者の固有情報（貸与者ＩＤ）と、貸与を受ける、駐車場の利用者の固有情報（依頼者ＩＤ）とを関連付けた情報である。具体的には、たとえば貸与者ＩＤが「１」の駐車場を、依頼者ＩＤが「３」の利用者が貸与を受けており、現在駐車中であるという情報である。
【００３０】
貸与依頼情報受信部１０４は、利用者の有する端末装置１２０から貸与駐車場の貸与を依頼するための貸与依頼情報を受信する。貸与依頼情報は、たとえば、後述する図１１に示すように、貸与を依頼した利用者の固有情報（依頼者ＩＤ）と、貸与駐車場の利用日時に関する情報（利用希望日時）と、貸与駐車場の利用位置に関する情報（利用場所）と、を含んでいる。具体的には、たとえば、依頼者ＩＤが「１」の利用者が、利用希望日時が「２００×年１月１日  ９：００〜１４：３０」までの間、「緯度・経度」の場所で、駐車場を貸与したいという情報である。これらの情報が、依頼者（１〜Ｍ）毎に記録されている。なお、貸与依頼情報には、電動式車両の充電設備の貸与要否に関する情報（充電要否／充電時間）や、属性（決済方式）が含まれていてもよい。
【００３１】
なお、貸与依頼情報受信部１０４は、貸与依頼情報として、貸与駐車場の利用を開始する開始時間を受信してもよい。すなわち、貸与依頼情報受信部１０４は、開始時間さえ受信すれば、貸与駐車場の利用を終了する予定の時間を受信しなくてもよい。
【００３２】
検索部１０５は、管理部１０３によって管理された貸与駐車場の空き状況に基づいて、貸与依頼情報受信部１０４によって受信された貸与依頼情報に応じた貸与駐車場を検索する。検索部１０５は、具体的には、たとえば利用者から受け付けた利用位置の周辺で、利用日時に空いている貸与駐車場を検索する。また、検索部１０５は、同様の属性に含まれる貸与駐車場の中からのみ、貸与依頼情報に応じた貸与駐車場を検索してもよい。さらに、検索部１０５は、管理部１０３によって管理された貸与駐車場の空き状況および充電設備情報に基づいて、貸与依頼情報受信部１０４によって受信された、充電情報を含む貸与依頼情報に応じた貸与駐車場を検索してもよい。
【００３３】
また、検索部１０５は、貸与駐車場の貸与可能情報の変更によって、変更後の貸与可能な日時に、貸与依頼情報に含まれる利用日時が収まらなくなった場合、管理部１０３によって管理された貸与駐車場の空き状況に基づいて、変更後の貸与可能な日時に収まらなくなった分の時間に空いている他の貸与駐車場を検索してもよい。
【００３４】
送信部１０６は、検索部１０５によって検索された貸与駐車場に関する情報を、端末装置１２０に送信する。送信部１０６は、端末装置１２０に、貸与駐車場の貸与可能情報の変更に関する情報を送信する。また、送信部１０６は、たとえば検索部１０５によって貸与可能情報の変更後の貸与可能な日時に収まらなくなった分の時間に空いている他の貸与駐車場を検索し、かつ利用者が駐車している貸与駐車場から移動できない場合、利用者が駐車している貸与駐車場の所有者に他の貸与駐車場に関する情報を送信してもよい。
【００３５】
判断部１０７は、車両が貸与駐車場に到着したか否かを判断する。判断部１０７は、具体的には、たとえば貸与駐車場に備えられた、車両が進入したか否か、車両が駐車されたか否かを検知するセンサの出力値によって、車両が貸与駐車場に到着したか否かを判断してもよい。
【００３６】
認証部１０８は、判断部１０７によって車両が貸与駐車場に到着したと判断された場合、この車両の搭乗者が貸与駐車場の利用者か否かを認証する。認証部１０８は、たとえばあらかじめ登録された利用者ＩＤなどに基づいて、車両の搭乗者が貸与駐車場の利用者か否かを認証する。
【００３７】
許可部１０９は、認証部１０８によって貸与駐車場の利用者であると認証された場合、搭乗者（利用者）に貸与駐車場の利用を許可する。許可部１０９は、認証部１０８によって貸与駐車場の利用者であると認証されない場合、搭乗者に貸与駐車場の利用を許可せず、貸与駐車場を利用させないようにしてもよい。また、許可部１０９は、認証部１０８によって貸与駐車場の利用者であると認証されない場合、搭乗者に充電設備を利用させないようにしてもよい。さらに、許可部１０９は、認証部１０８による認証結果を貸与駐車場の所有者に報知してもよい。
【００３８】
（端末装置の機能的構成）
つぎに、この発明の実施の形態にかかる端末装置１２０の機能的構成について説明する。図１において、端末装置１２０は、出力部１２１と、利用情報受付部１２２と、生成部１２３と、通信部１２４と、制御部１２５と、を備えている。端末装置１２０は、たとえば利用者の自宅や利用者の所有する車両などに備えられている。端末装置１２０は、駐車場の所有者から貸与駐車場に関する情報の登録を受け付けて貸与駐車場の空き状況を管理する駐車場管理装置１００に、貸与駐車場の貸与依頼情報を送信する。
【００３９】
出力部１２１は、地図データを表示する表示画面を備えている。ここで、地図データは、図示しない記憶部に記憶されている。地図データは、ノードおよびリンクからなる道路ネットワークデータと、施設や道路その他地形（山、川、土地）に関するフィーチャを用いて描画される画像データとを含んでいる。地図データは、文字情報、施設の名称や住所などの情報、道路や施設の画像などを含んでいてもよい。
【００４０】
利用情報受付部１２２は、利用者から、貸与駐車場の利用日時、利用位置および電動式車両の充電設備の使用可否に関する利用情報を受け付ける。また、利用情報受付部１２２は、利用者から、利用者の属性を受け付けてもよい。利用情報受付部１２２は、具体的には、たとえば利用者による入力操作により利用情報を受け付ける。また、利用情報受付部１２２は、利用者から目的地点を受け付けた際に、この目的地点の位置を利用位置として受け付けてもよい。さらに、利用情報受付部１２２は、目的地点への到着予想時間を利用開始時間として受け付け、さらに目的地点での滞在予定時間を算出し、利用開始時間に滞在予定時間を加算した時間を利用終了予定時間として受け付けてもよい。
【００４１】
生成部１２３は、利用情報受付部１２２によって受け付けられた利用情報に基づいて、貸与駐車場の貸与依頼情報を生成する。また、生成部１２３は、利用情報受付部１２２によって利用者から属性を受け付けた場合、属性を含めた貸与依頼情報を生成してもよい。
【００４２】
通信部１２４は、生成部１２３によって生成された貸与依頼情報を駐車場管理装置１００に送信する。また、通信部１２４は、駐車場管理装置１００から貸与依頼情報に応じた貸与駐車場に関する情報を受信する。
【００４３】
制御部１２５は、出力部１２１を制御して、通信部１２４によって受信された貸与駐車場に関する情報を出力する。制御部１２５は、たとえば貸与駐車場に関する情報を表示画面に表示された地図データ上に重畳させて表示してもよい。また、制御部１２５は、出力部１２１を制御して、貸与駐車場までの経路を出力してもよい。
【００４４】
（駐車場管理装置の駐車場管理処理手順）
つぎに、駐車場管理装置１００の駐車場管理処理手順について説明する。図２は、駐車場管理装置の駐車場管理処理手順を示すフローチャートである。図２のフローチャートにおいて、まず、登録受付部１０１によって駐車場の所有者から貸与駐車場に関する情報を受け付けるまで待機する（ステップＳ２０１：Ｎｏのループ）。ステップＳ２０１においては、複数の所有者からそれぞれの貸与駐車場に関する情報を受け付けてもよい。ここで、貸与駐車場に関する情報には、電動式車両の充電設備の有無や貸与可否などの充電設備に関する情報を含んでいてもよい。さらに、所有者の属性を含んでいてもよい。また、ステップＳ２０１においては、貸与可能情報受付部１０２によって所有者から貸与駐車場の貸与可能情報を受け付けてもよい。
【００４５】
ステップＳ２０１において、駐車場の所有者から貸与駐車場に関する情報を受け付けた場合（ステップＳ２０１：Ｙｅｓ）、受け付けた貸与駐車場に関する情報に含まれる貸与可能情報に基づいて、管理部１０３によって貸与駐車場の空き状況を管理する（ステップＳ２０２）。ステップＳ２０２においては、たとえば図１１に示す貸与可能情報をリスト化した情報を保持し、貸与駐車場の位置情報および貸与可能な日時を管理する。また、図１１に示すステータス情報を保持することにより、駐車場の空き状況を管理する。さらに、ステップＳ２０２においては、充電設備に関する情報や所有者の属性などを管理してもよい。
【００４６】
つぎに、貸与依頼情報受信部１０４によって利用者の有する端末装置１２０から貸与駐車場の貸与依頼情報を受信するまで待機する（ステップＳ２０３：Ｎｏのループ）。ステップＳ２０３において利用者から貸与駐車場の貸与依頼情報を受け付けた場合（ステップＳ２０３：Ｙｅｓ）、図１１に示す貸与依頼情報をリスト化した情報を保持する。そして、検索部１０５によって、ステップＳ２０２において管理されている貸与駐車場の空き状況に基づいて、ステップＳ２０３において受け付けられた貸与依頼情報に応じた貸与駐車場を検索する（ステップＳ２０４）。ステップＳ２０４においては、具体的には、例えば図１１に示す貸与可能情報のリストのうち、（１）貸与依頼情報に示される利用希望日時が含まれ、かつ（２）ステータス情報にない駐車場を検索する。なお、貸与依頼情報に充電の要否が含まれる場合には、充電の要否あるいは充電時間を考慮して検索してもよい。また、このとき、該当する貸与可能情報が２つ以上ある場合には、距離を優先したり、過去の利用情報に基づいたりして、いずれか１つの駐車場を選択するようにしてもよい。そして、ステップＳ２０４において検索された貸与駐車場に関する情報を端末装置１２０に送信する（ステップＳ２０５）。
【００４７】
さらに、判断部１０７によって車両が貸与駐車場に到着すると判断されるまで待機する（ステップＳ２０６：Ｎｏのループ）。そして、車両が貸与駐車場に到着したと判断された場合（ステップＳ２０６：Ｙｅｓ）、認証部１０８によって車両の搭乗者が貸与駐車場の利用者か否かを認証する（ステップＳ２０７）。
【００４８】
ステップＳ２０７において、車両の搭乗者が貸与駐車場の利用者であると認証されない場合（ステップＳ２０７：Ｎｏ）、ステップＳ２０６に戻り、以降の処理を繰り返しおこなう。そして、ステップＳ２０７において、車両の搭乗者が貸与駐車場の利用者であると認証された場合（ステップＳ２０７：Ｙｅｓ）、許可部１０９によって搭乗者に貸与駐車場の利用を許可して（ステップＳ２０８）、一連の処理を終了する。なお、貸与駐車場において充電設備を利用する場合には、車両が該充電設備と接続されたことを検知する検知部を備えていてもよい。この場合、検知部は、充電の開始と終了を検知して、駐車場管理装置１００へ充電開始や充電終了を示す信号を送信してもよい。
【００４９】
なお、図２のフローチャートにおいては、ステップＳ２０５において利用者の有する端末装置１２０に送信するとしているがこれに限るものではない。具体的には、たとえば貸与依頼情報に応じた貸与駐車場が複数ある場合、貸与依頼情報に応じた複数の貸与駐車場に関する情報を送信してもよい。この場合、送信した複数の貸与駐車場の中から、利用者による一の貸与駐車場の選択を受信し、受信された一の貸与駐車場に関する情報を再度送信してもよい。
【００５０】
（端末装置の貸与依頼情報送信処理手順）
つぎに、端末装置１２０の貸与依頼情報送信処理手順について説明する。図３は、端末装置の貸与依頼情報送信処理手順を示すフローチャートである。図３のフローチャートにおいて、まず、利用情報受付部１２２によって、利用者から貸与駐車場の利用日時、利用位置および電動式車両の充電設備の使用可否に関する利用情報を受け付けるまで待機する（ステップＳ３０１：Ｎｏのループ）。
【００５１】
ステップＳ３０１において利用情報を受け付けた場合（ステップＳ３０１：Ｙｅｓ）、生成部１２３によって、貸与駐車場の貸与依頼情報を生成する（ステップＳ３０２）。そして、通信部１２４によって、ステップＳ３０２において生成された貸与依頼情報を駐車場管理装置１００に送信する（ステップＳ３０３）。
【００５２】
つぎに、通信部１２４によって、ステップＳ３０３において送信された貸与依頼情報に応じた貸与駐車場に関する情報を受け付けるまで待機する（ステップＳ３０４：Ｎｏのループ）。そして、ステップＳ３０４において貸与依頼情報に応じた貸与駐車場に関する情報を受け付けた場合（ステップＳ３０４：Ｙｅｓ）、制御部１２５によって出力部１２１を制御して、貸与駐車場に関する情報を出力して（ステップＳ３０５）、一連の処理を終了する。
【００５３】
なお、図３のフローチャートにおいては、ステップＳ３０１：Ｎｏのループにおいて利用者から貸与駐車場の利用日時、利用位置および電動式車両の充電設備の使用可否に関する利用情報を受け付けるまで待機するとしているが、これに限るものではない。具体的には、たとえば、利用者が目的地点を設定するまで待機してもよい。この場合、設定された目的地点の周辺を利用位置とし、目的地点までの所要時間や目的地点での滞在予定時間などから利用時間を算出し、目的地点までの往復における電力使用量などから充電設備の使用可否を判断してもよい。
【００５４】
また、図３のフローチャートにおいては、ステップＳ３０５において、貸与駐車場に関する情報を出力するとしているが、これに限るものではない。具体的には、たとえばステップＳ３０４：Ｙｅｓにおいて複数の貸与駐車場に関する情報を受信した場合、複数の貸与駐車場の中から利用者による一の貸与駐車場の選択を受け付けて、一の駐車場に関する情報を出力するようにしてもよい。また、ステップＳ３０５においては、貸与駐車場までの経路を出力してもよい。
【００５５】
上述したように、本実施の形態の駐車場管理装置１００によれば、登録受付部１０１によって駐車場の所有者から貸与駐車場に関する情報の登録を受け付け、貸与可能情報受付部１０２によって所有者から貸与駐車場の貸与可能な条件を示す貸与可能情報を受け付けて、管理部１０３によって貸与駐車場の空き状況を管理することができる。そして、貸与依頼情報受信部１０４によって利用者の有する端末装置から貸与依頼情報を受信した場合、貸与駐車場の空き状況に基づいて、検索部１０５によって貸与依頼情報に応じた貸与駐車場を検索することができる。これによって、個人や法人が駐車場の登録をおこない、駐車場が空いているときに貸与することができる。また、利用者は、たとえば目的地点が住宅街周辺など、複数の車庫を備える駐車場が位置する可能性の高い駅周辺などではない場合でも、個人や法人が所有する駐車場を利用することができる。
【００５６】
また、本実施の形態の駐車場管理装置１００によれば、登録受付部１０１によって、貸与駐車場の位置情報を受け付け、貸与可能情報受付部１０２によって、貸与駐車場の貸与可能な日時を受け付け、管理部１０３によって、貸与駐車場の位置情報および貸与可能な日時に基づいて、貸与駐車場の空き状況を管理することができる。したがって、いつどの位置の駐車場が空いているかを管理することができる。これによって、利用者は、自身の所望する駐車場を知ることができる。
【００５７】
また、本実施の形態の駐車場管理装置１００によれば、管理部１０３によって、複数の貸与駐車場の空き状況を貸与駐車場または所有者の属性ごとに管理し、検索部１０５によって、同様の属性に含まれる貸与駐車場の中から、貸与依頼情報に応じた貸与駐車場を検索することができる。したがって、たとえば貸与によって生じる金額の決済方式が同様の貸与駐車場の中から、貸与依頼情報に応じた貸与駐車場を検索することができる。これによって、利用者は、所望する決算方式で支払いをおこなうことができる。
【００５８】
また、本実施の形態の駐車場管理装置１００によれば、貸与可能情報受付部１０２によって、貸与駐車場に備えられた電動式車両の充電設備の貸与可否に関する充電設備情報を受け付け、管理部１０３によって、駐車場の空き状況とともに、充電設備情報を管理することができる。そして、貸与依頼情報受信部１０４によって、端末装置１２０から、利用者が充電設備を使用するか否かに関する充電情報を含む貸与依頼情報を受信した場合、検索部１０５によって、充電情報を含む貸与依頼情報に応じた貸与駐車場を検索することができる。これによって、利用者は、電動式車両を使用している際に、営利目的の充電設備が周辺にない場合でも、個人や法人の有する充電設備を利用することができるので、蓄電量が不足して走行不能となることを防ぐことができる。
【００５９】
また、本実施の形態の駐車場管理装置１００によれば、貸与可能情報受付部１０２によって、貸与駐車場の所有者が、貸与駐車場に通常駐車している車両によって目的地点までの往復にかかる時間および目的地点における滞在予定時間を貸与可能情報として受け付けることができる。これによって、貸与駐車場の所有者は、貸与可能情報を入力する手間を省くことができる。
【００６０】
また、本実施の形態の駐車場管理装置１００によれば、判断部１０７によって車両が貸与駐車場に到着したと判断された場合、認証部１０８によって車両の搭乗者が貸与駐車場の利用者か否かを認証することができる。そして、貸与駐車場の利用者であると認証された場合、許可部１０９によって利用者に貸与駐車場の貸与を許可することができる。したがって、貸与駐車場の利用者以外の第３者の無断利用や、貸与駐車場への不法侵入を防ぐことができる。これによって、駐車場の所有者は、安全に駐車場を貸与することができる。
【００６１】
また、本実施の形態の駐車場管理装置１００によれば、貸与可能情報受付部１０２によって、所有者から貸与駐車場の貸与可能情報の変更に関する情報を受け付け、送信部１０６によって、端末装置１２０に、貸与駐車場の貸与可能情報の変更に関する情報を送信することができる。これによって、貸与駐車場の所有者は、自身の予定が変更した旨を利用者に知らせることができ、駐車場に駐車された車両を移動させることができる。
【００６２】
また、本実施の形態の駐車場管理装置１００によれば、検索部１０５によって、貸与駐車場の貸与可能情報の変更によって、変更後の貸与可能な日時に、貸与依頼情報に含まれる貸与依頼日時が収まらなくなった場合、管理部１０３によって管理された貸与駐車場の空き状況に基づいて、変更後の貸与可能な日時に収まらなくなった分の時間に空いている他の貸与駐車場を検索する。これによって、利用者は、車両を駐車していた貸与駐車場から車両を移動させなければならなくなった場合、周辺の他の貸与駐車場を知ることができる。このため、目的地点の滞在予定時間を短くしたり、目的地点から比較的遠い駐車場に車両を止める必要がなく、快適に目的地点に滞在することができる。
【００６３】
また、本実施の形態の端末装置１２０によれば、利用情報受付部１２２によって、利用者から受け付けられた、貸与駐車場の利用日時、利用位置および電動式車両の充電設備の利用に関する利用情報に基づいて、生成部１２３によって生成された貸与駐車場の貸与依頼情報を、通信部１２４によって、貸与依頼情報を駐車場管理装置１００に送信することができる。そして、通信部１２４によって貸与依頼情報に応じた貸与駐車場に関する情報を受信し、制御部１２５によって、出力部１２１を制御して、通信部１２４によって受信された貸与駐車場に関する情報を出力することができる。これによって、利用者は、電動式車両を使用する際にも、営利目的の駐車施設からではなく、個人や法人が所有するより目的地点に近い駐車場の中から、自身の所望する駐車場を検索させることができる。
【実施例】
【００６４】
以下に、本発明の実施例について説明する。本実施例では、たとえば、車両（四輪車、二輪車を含む）などの移動体に搭載されるナビゲーション装置によって、本発明の端末装置を実施し、ナビゲーション装置とインターネットを介して接続されるサーバによって駐車場管理装置を実施した場合の一例について説明する。【００６５】
（駐車場管理システム）
まず、図４を用いて、本実施例にかかる駐車場管理システムの概要について説明する。図４は、本実施例にかかる駐車場管理システムの概要について示す説明図である。図４に示すように、駐車場管理システム４００は、サーバ４０１と、第１ナビゲーション装置４１１〜第４ナビゲーション装置４１４と、から構成されている。また、第１ナビゲーション装置４１１、第２ナビゲーション装置４１２、第４ナビゲーション装置４１４は、金額を決済する方式または金銭のやり取りをおこなう金融機関の種類が同一のグループ４１０に含まれていることとする。サーバ４０１と、第１ナビゲーション装置４１１〜第４ナビゲーション装置４１４とは、インターネット４２０を介して接続されている。なお、図４においては、ナビゲーション装置を４台示しているが、４台に限らず複数台であればよい。【００６６】
図４においては、第１ナビゲーション装置４１１〜第３ナビゲーション装置４１３の利用者が、他の利用者に貸与可能な駐車場（以下、貸与駐車場とする）を所有する所有者である。すなわち、第１ナビゲーション装置４１１〜第３ナビゲーション装置４１３の利用者は、サーバ４０１に貸与駐車場の貸与可能情報を登録している。貸与可能情報とは、たとえば貸与可能日時、電動式車両の充電設備の有無および充電設備の貸与可否などに関する情報である。また、図４においては、第４ナビゲーション装置４１４の利用者が、貸与駐車場を検索することとする。【００６７】
サーバ４０１は、貸与可能情報に基づいて、貸与駐車場の管理をおこなう。貸与駐車場の管理とは、たとえば貸与駐車場の位置、貸与駐車場の貸与可能時間、貸与駐車場に備えられた充電設備の有無および貸与可否、貸与可能時間の変更可能性、貸与により生じた金額の支払い方法などの管理である。【００６８】
第１ナビゲーション装置４１１〜第４ナビゲーション装置４１４は、利用者から、各貸与駐車場の貸与可能情報や、他の利用者の貸与駐車場を利用するための貸与依頼情報などの入力を受け付けて、貸与可能情報や貸与依頼情報をサーバ４０１に送信する。【００６９】
ここで、たとえばサーバ４０１は、第４ナビゲーション装置４１４から貸与依頼情報を受け付けた場合、貸与依頼情報に応じた貸与駐車場を検索し、検索された貸与駐車場に関する情報を第４ナビゲーション装置４１４に送信する。このとき、たとえばサーバ４０１は、第４ナビゲーション装置４１４と同じグループ４１０に含まれる第１ナビゲーション装置４１１または第２ナビゲーション装置４１２の利用者が所有している貸与駐車場の中から、貸与依頼情報に応じた貸与駐車場を検索してもよい。そして、第４ナビゲーション装置４１４においては、サーバ４０１から受信した貸与情報に関する情報を後述するディスプレイ６１３やスピーカ６１０に出力する。【００７０】
（サーバのハードウェア構成）
つぎに、本実施例にかかるサーバ４０１のハードウェア構成について説明する。図５は、本実施例にかかるサーバのハードウェア構成を示すブロック図である。図５において、サーバ４０１は、ＣＰＵ５０１と、ＲＯＭ５０２と、ＲＡＭ５０３と、磁気ディスクドライブ５０４と、磁気ディスク５０５と、光ディスクドライブ５０６と、光ディスク５０７と、通信Ｉ／Ｆ５０８と、を備えている。各構成部５０１〜５０８は、バス５２０によってそれぞれ接続されている。【００７１】
まず、ＣＰＵ５０１は、サーバ４０１の全体の制御を司る。ＲＯＭ５０２は、ブートプログラム、データ更新プログラム、駐車場管理プログラム、貸与駐車場検索プログラム、利用者認証プログラムなどのプログラムを記録している。また、ＲＡＭ５０３は、ＣＰＵ５０１のワークエリアとして使用される。すなわち、ＣＰＵ５０１は、ＲＡＭ５０３をワークエリアとして使用しながら、ＲＯＭ５０２に記録された各種プログラムを実行することによって、サーバ４０１の全体の制御を司る。【００７２】
駐車場管理プログラムは、駐車場の所有者によって登録された貸与可能な貸与駐車場を、さらに所有者から受け付けた貸与可能な条件を示す貸与可能情報に基づいて、貸与駐車場の空き状況を管理させる。すなわち、駐車場管理プログラムは、たとえば第１ナビゲーション装置４１１〜第３ナビゲーション装置４１３の利用者が所有する駐車場を、それぞれの利用者から受け付けた貸与可能情報に基づいて、いつどの駐車場が空いているかを管理させる。また、駐車場管理プログラムは、貸与駐車場に備えられた電動式車両の充電設備の有無や、充電設備の貸与可否を管理させてもよい。さらに、駐車場管理プログラムは、それぞれの貸与駐車場に対して、決算方式や決算をおこなう金融機関などの属性を管理させてもよい。【００７３】
貸与駐車場検索プログラムは、駐車場管理プログラムを実行することによって管理された貸与駐車場の空き状況に基づいて、利用者（たとえば、第４ナビゲーション装置４１４の利用者）から受信した、貸与駐車場の貸与を依頼するための貸与依頼情報に応じた貸与駐車場を検索させる。貸与駐車場検索プログラムは、利用者が充電設備を利用する予定の場合、充電設備の貸与が可能な貸与駐車場を検索させてもよい。また、貸与駐車場検索プログラムは、利用者と同様のグループに含まれる貸与駐車場を検索させてもよい。【００７４】
利用者認証プログラムは、たとえば貸与駐車場に車両が到着した場合に、到着した車両が貸与駐車場検索プログラムによって貸与駐車場を検索する際に、貸与依頼情報を受信した利用者の車両か否かを認証させる。具体的には、たとえばあらかじめ利用者の固有情報などを保持しておき、この固有情報に基づいて認証させてもよい。さらに、利用者認証プログラムは、利用者が認証された場合に、貸与駐車場へ車両を駐車することを許可させてもよい。貸与駐車場には、利用者が認証されなければ車両を駐車できないような設備が備えられていてもよいし、利用者が認証されたか否かに関する情報を所有者に送信するようにしてもよい。【００７５】
磁気ディスクドライブ５０４は、ＣＰＵ５０１の制御にしたがって磁気ディスク５０５に対するデータの読み取り／書き込みを制御する。磁気ディスク５０５は、磁気ディスクドライブ５０４の制御で書き込まれたデータを記録する。磁気ディスク５０５としては、たとえば、ＨＤ（ハードディスク）やＦＤ（フレキシブルディスク）を用いることができる。【００７６】
また、光ディスクドライブ５０６は、ＣＰＵ５０１の制御にしたがって光ディスク５０７に対するデータの読み取り／書き込みを制御する。光ディスク５０７は、光ディスクドライブ５０６の制御にしたがってデータが読み出される着脱自在な記録媒体である。光ディスク５０７は、書き込み可能な記録媒体を利用することもできる。着脱可能な記録媒体として、光ディスク５０７のほか、ＭＯ、メモリカードなどであってもよい。【００７７】
磁気ディスク５０５および光ディスク５０７に記録される情報の一例としては、貸与駐車場に関する情報や利用者に関する情報が挙げられる。貸与駐車場に関する情報は、詳細は後述するが、駐車場の所有者に登録された他の利用者に貸与可能な駐車場に関する情報である。具体的には、貸与駐車場の位置情報、貸与可能な時間、充電設備の有無および貸与可否、決算方式などである。また、利用者に関する情報は、各利用者を特定可能な固有情報などである。【００７８】
通信Ｉ／Ｆ５０８は、無線を介してネットワークに接続され、サーバ４０１とＣＰＵ５０１とのインターフェースとして機能する。通信Ｉ／Ｆ５０８は、さらに、無線を介してインターネットなどの通信網に接続され、この通信網とＣＰＵ５０１とのインターフェースとしても機能する。これによって、サーバ４０１は、第１ナビゲーション装置４１１〜第４ナビゲーション装置４１４と情報の送受信をおこなうことができる。通信網には、ＬＡＮ、ＷＡＮ、公衆回線網や携帯電話網などがある。【００７９】
図１に示した駐車場管理装置１００が備える登録受付部１０１、貸与可能情報受付部１０２、管理部１０３、貸与依頼情報受信部１０４、検索部１０５、送信部１０６、判断部１０７、認証部１０８、許可部１０９は、図５に示したサーバ４０１におけるＲＯＭ５０２、ＲＡＭ５０３、磁気ディスク５０５、光ディスク５０７などに記録されたプログラムやデータを用いて、ＣＰＵ５０１が所定のプログラムを実行し、サーバ４０１における各部を制御することによってその機能を実現する。【００８０】
すなわち、実施例のサーバ４０１は、サーバ４０１における記録媒体としてのＲＯＭ５０２に記録されている駐車場管理プログラムを実行することにより、図１に示した駐車場管理装置が備える機能を、図２に示した駐車場管理処理手順で実行することができる。【００８１】
（ナビゲーション装置のハードウェア構成）
つぎに、本実施例にかかる第１ナビゲーション装置４１１〜第４ナビゲーション装置４１４のハードウェア構成について説明する。図６は、本実施例にかかるナビゲーション装置（第１ナビゲーション装置４１１〜第４ナビゲーション装置４１４）のハードウェア構成を示すブロック図である。図６において、ナビゲーション装置は、ＣＰＵ６０１と、ＲＯＭ６０２と、ＲＡＭ６０３と、磁気ディスクドライブ６０４と、磁気ディスク６０５と、光ディスクドライブ６０６と、光ディスク６０７と、音声Ｉ／Ｆ（インターフェース）６０８と、マイク６０９と、スピーカ６１０と、入力デバイス６１１と、映像Ｉ／Ｆ６１２と、ディスプレイ６１３と、通信Ｉ／Ｆ６１４と、ＧＰＳユニット６１５と、各種センサ６１６と、カメラ６１７と、を備えている。各構成部６０１〜６１７は、バス６２０によってそれぞれ接続されている。【００８２】
まず、ＣＰＵ６０１は、ナビゲーション装置の全体の制御を司る。ＲＯＭ６０２は、ブートプログラム、データ更新プログラム、貸与依頼情報生成プログラムなどのプログラムを記録している。また、ＲＡＭ６０３は、ＣＰＵ６０１のワークエリアとして使用される。すなわち、ＣＰＵ６０１は、ＲＡＭ６０３をワークエリアとして使用しながら、ＲＯＭ６０２に記録された各種プログラムを実行することによって、ナビゲーション装置の全体の制御を司る。【００８３】
貸与依頼情報生成プログラムは、たとえば入力デバイス６１１などの操作によって入力された、貸与駐車場の利用日時、利用位置および電動式車両の充電設備の利用に関する利用情報に基づいて、貸与駐車場の貸与を依頼するための貸与依頼情報を生成させる。貸与依頼情報生成プログラムは、貸与駐車場における充電設備の利用可否や、利用者の属性などを含んだ貸与依頼情報を生成させてもよい。【００８４】
磁気ディスクドライブ６０４は、ＣＰＵ６０１の制御にしたがって磁気ディスク６０５に対するデータの読み取り／書き込みを制御する。磁気ディスク６０５は、磁気ディスクドライブ６０４の制御で書き込まれたデータを記録する。磁気ディスク６０５としては、たとえば、ＨＤ（ハードディスク）やＦＤ（フレキシブルディスク）を用いることができる。【００８５】
また、光ディスクドライブ６０６は、ＣＰＵ６０１の制御にしたがって光ディスク６０７に対するデータの読み取り／書き込みを制御する。光ディスク６０７は、光ディスクドライブ６０６の制御にしたがってデータが読み出される着脱自在な記録媒体である。光ディスク６０７は、書き込み可能な記録媒体を利用することもできる。着脱可能な記録媒体として、光ディスク６０７のほか、ＭＯ、メモリカードなどであってもよい。【００８６】
磁気ディスク６０５および光ディスク６０７に記録される情報の一例としては、地図データや機能データが挙げられる。地図データは、建物、河川、地表面などの地物（フィーチャ）をあらわす背景データと、道路の形状をあらわす道路形状データとを含んでおり、地区ごとに分けられた複数のデータファイルによって構成されている。【００８７】
道路形状データは、さらに交通条件データを有する。交通条件データには、たとえば、各ノードについて、信号や横断歩道などの有無、高速道路の出入り口やジャンクションの有無、各リンクについての長さ（距離）、道幅、進行方向、道路種別（高速道路、有料道路、一般道路など）などの情報が含まれている。【００８８】
機能データは、地図上の施設の形状をあらわす３次元データ、当該施設の説明をあらわす文字データ、その他地図データ以外の各種のデータである。地図データや機能データは、地区ごとあるいは機能ごとにブロック分けされた状態で記録されている。具体的には、たとえば、地図データは、各々が、表示画面に表示された地図において所定の地区をあらわすように、地区ごとにブロック分けすることができる状態で記録されている。また、たとえば、機能データは、各々が、１つの機能を実現するように、機能ごとに複数にブロック分けすることができる状態で記録されている。【００８９】
また、機能データは、上述した３次元データや文字データに加えて、経路探索、所要時間の算出、経路誘導などを実現するプログラムデータなどの機能を実現するためのデータである。地図データおよび機能データは、それぞれ、地区ごとあるいは機能ごとに分けられた複数のデータファイルによって構成されている。【００９０】
なお、ナビゲーション装置は、図示を省略するが、フラッシュメモリを備えていてもよい。フラッシュメモリは、書き換え自在な不揮発性半導体メモリであり、ＣＰＵ６０１の制御にしたがってデータの読み取り／書き込みをおこなう。フラッシュメモリには、たとえば、ＮＡＮＤ型フラッシュメモリやＮＯＲ型フラッシュメモリなどを用いることができる。フラッシュメモリに記録される情報の一例としては、上述した地図情報や機能データなどが挙げられる。また、フラッシュメモリは、ＲＯＭ６０２としての機能を有していてもよい。すなわち、フラッシュメモリは、上述の各プログラムを記録していてもよい。【００９１】
音声Ｉ／Ｆ６０８は、音声入力用のマイク６０９および音声出力用のスピーカ６１０に接続される。マイク６０９に受音された音声は、音声Ｉ／Ｆ６０８内でＡ／Ｄ変換される。マイク６０９は、たとえば、車両のサンバイザー付近に設置され、その数は単数でも複数でもよい。スピーカ６１０からは、所定の音声信号を音声Ｉ／Ｆ６０８内でＤ／Ａ変換した音声が出力される。なお、マイク６０９から入力された音声は、音声データとして磁気ディスク６０５あるいは光ディスク６０７に記録可能である。【００９２】
入力デバイス６１１は、文字、数値、各種指示などの入力のための複数のキーを備えたリモコン、キーボード、タッチパネルなどが挙げられる。入力デバイス６１１は、リモコン、キーボード、タッチパネルのうちいずれか１つの形態によって実現されてもよいが、複数の形態によって実現することも可能である。【００９３】
映像Ｉ／Ｆ６１２は、ディスプレイ６１３に接続される。映像Ｉ／Ｆ６１２は、具体的には、たとえば、ディスプレイ６１３全体を制御するグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいてディスプレイ６１３を制御する制御ＩＣなどによって構成される。【００９４】
ディスプレイ６１３には、アイコン、カーソル、メニュー、ウインドウ、あるいは文字や画像などの各種データが表示される。ディスプレイ６１３には、上述した地図データが、２次元または３次元に描画される。ディスプレイ６１３に表示された地図データには、ナビゲーション装置を搭載した車両の現在位置をあらわすマークや貸与駐車場の位置をあらわすマークなどを重ねて表示することができる。車両の現在位置は、ＣＰＵ６０１によって算出される。【００９５】
ディスプレイ６１３としては、たとえば、ＣＲＴ、ＴＦＴ液晶ディスプレイ、プラズマディスプレイなどを用いることができる。ディスプレイ６１３は、たとえば、車両のダッシュボード付近に設置される。ディスプレイ６１３は、車両のダッシュボード付近のほか、車両の後部座席周辺などに設置するなどして、車両において複数設置されていてもよい。【００９６】
通信Ｉ／Ｆ６１４は、無線を介してネットワークに接続され、ナビゲーション装置とＣＰＵ６０１とのインターフェースとして機能する。通信Ｉ／Ｆ６１４は、さらに、無線を介してインターネットなどの通信網に接続され、この通信網とＣＰＵ６０１とのインターフェースとしても機能する。これによって、第１ナビゲーション装置４１１〜第４ナビゲーション装置４１４は、サーバ４０１と情報の送受信をおこなうことができる。【００９７】
通信網には、ＬＡＮ、ＷＡＮ、公衆回線網や携帯電話網などがある。具体的には、通信Ｉ／Ｆ６１４は、たとえば、ＦＭチューナー、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）／ビーコンレシーバ、無線ナビゲーション装置およびその他のナビゲーション装置によって構成され、ＶＩＣＳセンターから配信される渋滞や交通規制などの道路交通情報を取得する。なお、ＶＩＣＳは登録商標である。また、通信Ｉ／Ｆ６１４は、たとえば、ＤＳＲＣ（Ｄｅｄｉｃａｔｅｄ  Ｓｈｏｒｔ  Ｒａｎｇｅ  Ｃｏｍｍｕｎｉｃａｔｉｏｎ）を用いた場合は、路側に設置された無線装置と双方向の無線通信をおこなう車載無線装置によって構成され、交通情報や地図情報など各種情報を取得する。なお、ＤＳＲＣの具体例としては、ＥＴＣ（ノンストップ自動料金支払いシステム）が挙げられる。【００９８】
ＧＰＳユニット６１５は、ＧＰＳ衛星からの電波を受信し、車両の現在位置を示す情報を出力する。ＧＰＳユニット６１５の出力情報は、後述する各種センサ６１６の出力値とともに、ＣＰＵ６０１による車両の現在位置の算出に際して利用される。現在位置を示す情報は、たとえば緯度・経度、高度などの、地図データ上の１点を特定する情報である。【００９９】
各種センサ６１６は、車速センサ、加速度センサ、角速度センサなどの、車両の位置や挙動を判断するための情報を出力する。各種センサ６１６の出力値は、ＣＰＵ６０１による車両の現在位置の算出や、速度や方位の変化量の算出に用いられる。【０１００】
カメラ６１７は、車両内部あるいは外部の映像を撮影する。映像は静止画あるいは動画のどちらでもよく、たとえば、カメラ６１７によって車両内部の搭乗者の挙動を撮影し、撮影した映像を映像Ｉ／Ｆ６１２を介して磁気ディスク６０５や光ディスク６０７などの記録媒体に出力する。また、カメラ６１７によって車両外部の状況を撮影し、撮影した映像を映像Ｉ／Ｆ６１２を介して磁気ディスク６０５や光ディスク６０７などの記録媒体に出力する。また、カメラ６１７は、赤外線カメラ機能を有しており、赤外線カメラ機能を用いて撮影された映像情報に基づいて車両内部に存在する物体の表面温度の分布を相対的に比較することができる。また、記録媒体に出力された映像は、上書き記録や保存がおこなわれる。【０１０１】
図１に示した端末装置１２０が備える出力部１２１、利用情報受付部１２２、生成部１２３、通信部１２４、制御部１２５は、図６に示したナビゲーション装置におけるＲＯＭ６０２、ＲＡＭ６０３、磁気ディスク６０５、光ディスク６０７などに記録されたプログラムやデータを用いて、ＣＰＵ６０１が所定のプログラムを実行し、ナビゲーション装置における各部を制御することによってその機能を実現する。【０１０２】
すなわち、実施例のナビゲーション装置（第１ナビゲーション装置４１１〜第４ナビゲーション装置４１４）は、ナビゲーション装置における記録媒体としてのＲＯＭ６０２に記録されている貸与依頼情報送信プログラムを実行することにより、図１に示した端末装置１２０が備える機能を、図３に示した貸与依頼情報送信処理手順で実行することができる。【０１０３】
（サーバの処理の内容）
つぎに、サーバ４０１処理の内容について説明する。図７は、サーバの処理の内容を示すフローチャートである。図７のフローチャートにおいて、まず、駐車場の所有者のナビゲーション装置（たとえば、第１ナビゲーション装置４１１〜第３ナビゲーション装置４１３）から貸与駐車場に関する情報を受け付けるまで待機する（ステップＳ７０１：Ｎｏのループ）。ステップＳ７０１においては、所有者のナビゲーション装置から貸与可能情報を受け付けてもよい。なお、ステップＳ７０１においては、たとえば所有者が目的地点へ向かって出発したか否かを判断してもよい。ステップＳ７０１において駐車場の所有者のナビゲーション装置から貸与駐車場に関する情報を受け付けた場合（ステップＳ７０１：Ｙｅｓ）、貸与駐車場の空き状況を管理する（ステップＳ７０２）。ステップＳ７０２においては、たとえば図１１に示す貸与可能情報をリスト化した情報を保持し、貸与駐車場の位置情報および貸与可能な日時を管理する。また、図１１に示すステータス情報を保持することにより、駐車場の空き状況を管理する。【０１０４】
つぎに、利用者のナビゲーション装置（たとえば、第４ナビゲーション装置４１４）から貸与依頼情報を受け付けるまで待機する（ステップＳ７０３：Ｎｏのループ）。ステップＳ７０３において利用者から貸与依頼情報を受け付けた場合（ステップＳ７０３：Ｙｅｓ）、図１１に示す貸与依頼情報をリスト化した情報を保持する。そして、貸与駐車場検索プログラムを実行して、貸与依頼情報に応じた貸与駐車場を検索する（ステップＳ７０４）。ステップＳ７０４においては、たとえば、図１１に示す貸与可能情報のリストのうち、（１）貸与依頼情報に示される利用希望日時が含まれ、かつ（２）ステータス情報にない駐車場を検索する。このとき、たとえば利用者と同一のグループ４１０に含まれる貸与駐車場を検索する。すなわち、たとえば図４に示す第１ナビゲーション装置４１１（または第２ナビゲーション装置４１２）の利用者が所有する貸与駐車場が検索される。そして、利用者のナビゲーション装置に貸与駐車場に関する情報を送信する（ステップＳ７０５）。【０１０５】
つぎに、ステップＳ７０４において検索された貸与駐車場に車両が到着したと判断されるまで待機する（ステップＳ７０６：Ｎｏのループ）。ステップＳ７０６において貸与駐車場に車両が到着したと判断された場合（ステップＳ７０６：Ｙｅｓ）、利用者認証プログラムを実行して、車両の搭乗者が貸与駐車場の利用者か否かを認証する（ステップＳ７０７）。ステップＳ７０７において貸与駐車場の利用者ではないと判断された場合（ステップＳ７０７：Ｎｏ）、そのまま一連の処理を終了する。【０１０６】
一方、ステップＳ７０７において貸与駐車場の利用者であると判断された場合（ステップＳ７０７：Ｙｅｓ）、ステップＳ７０７において認証された利用者に貸与駐車場の利用を許可する（ステップＳ７０８）。【０１０７】
さらに、充電設備を貸与可能か否かを判断する（ステップＳ７０９）。ステップＳ７０９において充電設備を貸与可能な場合（ステップＳ７０９：Ｙｅｓ）、車両に充電を許可して（ステップＳ７１０）、一連の処理を終了する。また、ステップＳ７０９において充電設備を貸与可能ではない場合（ステップＳ７０９：Ｎｏ）、車両に充電を許可せずに、そのまま一連の処理を終了する。【０１０８】
なお、図７のフローチャートにおいては、ステップＳ７０３において貸与依頼情報に含まれる貸与時間として、貸与開始時間のみを受け付けてもよい。この場合、ステップＳ７０４においては、貸与可能時間に貸与開始時間が含まれる貸与駐車場を検索し、検索された貸与駐車場の貸与可能時間の終端を利用者に報知するようにしてもよい。このように、たとえば利用者が何時まで駐車場を利用するか決めていない場合、貸与駐車場の貸与期限を確認してから貸与駐車場を決めることができる。【０１０９】
また、図７のフローチャートにおいては、ステップＳ７１０において充電を許可した後に、充電が完了した場合、利用者に充電が完了したことに関する情報を送信してもよい。具体的には、たとえば利用者の有する携帯電話などに充電が完了したことに関する情報を送信してもよい。【０１１０】
（サーバによる貸与可能時間が変更された場合の処理について）
つぎに、サーバ４０１による貸与可能時間が変更された場合の処理について説明する。図８は、サーバによる貸与可能時間が変更された場合の処理について示すフローチャートである。図８のフローチャートにおいては、まず、図７のステップＳ７０１において受け付けられた貸与可能情報が変更されたか否かを判断する（ステップＳ７１１）。ステップＳ７１１においては、たとえば第１ナビゲーション装置４１１（または第２ナビゲーション装置４１２）の利用者から、貸与可能時間等が変更されたことを示す変更通知信号を受信することなどが考えられる。なお、ステップＳ７１１において、貸与可能情報が変更されていない場合（ステップＳ７１１：Ｎｏ）、そのまま一連の処理を終了する。【０１１１】
一方、ステップＳ７１１において、貸与可能情報が変更された場合（ステップＳ７１１：Ｙｅｓ）、図１１に示すステータス情報を確認する（ステップＳ７１２）。ステップＳ７１２においては、ステータス情報を確認することで、貸与可能時間が変更された駐車場に駐車している利用者を判別することができる。そして、変更された貸与可能時間が利用時間の範囲外か否かを判断する（ステップＳ７１３）。ステップＳ７１３において変更された貸与可能時間が利用時間の範囲内と判断された場合（ステップＳ７１３：Ｎｏ）、そのまま一連の処理を終了する。【０１１２】
また、ステップＳ７１３において変更された貸与可能時間が利用時間の範囲外と判断された場合（ステップＳ７１３：Ｙｅｓ）、利用者のナビゲーション装置に貸与可能時間の変更に関する情報を送信する（ステップＳ７１４）。【０１１３】
つぎに、利用者が貸与駐車場から移動可能か否かを判断する（ステップＳ７１５）。ステップＳ７１５において利用者が貸与駐車場から移動不可であると判断された場合（ステップＳ７１５：Ｎｏ）、ステップＳ７１５において利用者が移動不可であると判断された貸与駐車場の所有者のナビゲーション装置（たとえば、第１ナビゲーション装置４１１（または第２ナビゲーション装置４１２））に利用者が移動不可であることに関する情報を送信して（ステップＳ７１６）、ステップＳ７１７に進む。【０１１４】
一方、ステップＳ７１５において利用者が貸与駐車場から移動可能であると判断された場合（ステップＳ７１５：Ｙｅｓ）、そのままステップＳ７１７に進む。【０１１５】
そして、ステップＳ７１７においては、ステップＳ７０９において利用が許可された貸与駐車場の他の貸与駐車場を検索する。ステップＳ７１７においては、たとえば、図１１に示す貸与可能情報のリストのうち、（１）利用時間が含まれ、かつ（２）ステータス情報にない駐車場を検索し、たとえば第２ナビゲーション装置４１２の利用者が所有する貸与駐車場（または、第１ナビゲーション装置４１１の利用者が所有する貸与駐車場）が検索される。さらに、利用者または所有者のナビゲーション装置に、ステップＳ７１７において検索された他の貸与駐車場に関する情報を送信して（ステップＳ７１８）、一連の処理を終了する。【０１１６】
ステップＳ７１８においては、ステップＳ７１５：Ｙｅｓにおいて利用者が貸与駐車場から移動可能な場合、利用者のナビゲーション装置（たとえば、第４ナビゲーション装置４１４）や携帯電話に他の貸与駐車場に関する情報を送信する。また、ステップＳ７１５：Ｎｏにおいて利用者が貸与駐車場から移動不可の場合、所有者のナビゲーション装置（たとえば、第１ナビゲーション装置４１１（または、第２ナビゲーション装置４１２））に他の貸与駐車場に関する情報を送信する。【０１１７】
このように、特に地方都市などでは電動式車両の普及に比して充電インフラの整備が遅れる場合が想定されるが、本実施例においては、駐車可能な場所を確保するだけでなく充電を主目的とする利用者にも適用が可能である。そして充電が主目的の場合には、たとえステップＳ７１３で変更された貸与可能時間が利用時間より短かったとしても、利用者は車両を移動することに抵抗は少なく、その場合には他の充電設備を備えた駐車場を再検索することもできる。【０１１８】
（利用者のナビゲーション装置の処理の内容）
つぎに、利用者のナビゲーション装置の処理の内容について説明する。図９は、ナビゲーション装置の処理の内容を示すフローチャートである。図９においては、たとえば図４に示す第４ナビゲーション装置４１４の処理の内容について説明する。図９のフローチャートにおいて、まず、利用者から貸与駐車場の利用日時、利用位置および電動式車両の充電設備の使用可否に関する利用情報を受け付けるまで待機する（ステップＳ８０１：Ｎｏのループ）。【０１１９】
ステップＳ８０１において利用情報を受け付けた場合（ステップＳ８０１：Ｙｅｓ）、貸与駐車場の貸与依頼情報を生成する（ステップＳ８０２）。そして、ステップＳ８０２において生成された貸与依頼情報をサーバ４０１に送信する（ステップＳ８０３）。【０１２０】
つぎに、ステップＳ８０３において送信された貸与依頼情報に応じた貸与駐車場に関する情報をサーバ４０１から受信するまで待機する（ステップＳ８０４：Ｎｏのループ）。そして、ステップＳ８０４において貸与依頼情報に応じた貸与駐車場に関する情報をサーバ４０１から受信した場合（ステップＳ８０４：Ｙｅｓ）、ディスプレイ６１３またはスピーカ６１０に貸与駐車場に関する情報を出力する（ステップＳ８０５）。【０１２１】
つぎに、利用者の車両が、ステップＳ８０５において出力された貸与駐車場に到着したと判断されるまで待機する（ステップＳ８０６：Ｎｏのループ）。ステップＳ８０６において、貸与駐車場に到着したか否かの判断は、たとえば第４ナビゲーション装置４１４に備えられたＧＰＳユニット６１５からの出力値などに基づいて判断する。【０１２２】
ステップＳ８０６において貸与駐車場に到着したと判断された場合（ステップＳ８０６：Ｙｅｓ）、サーバ４０１から認証されるまで待機する（ステップＳ８０７：Ｎｏのループ）。ステップＳ８０７においてサーバ４０１から認証された場合（ステップＳ８０７：Ｙｅｓ）、そのまま一連の処理を終了する。これによって、利用者によって貸与駐車場に車両が駐車される。【０１２３】
なお、図９のフローチャートにおいては、ステップＳ８０５において出力された貸与駐車場が複数ある場合、一の貸与駐車場の選択を受け付けるまで待機してもよい。そして、一の貸与駐車場を受け付けた場合、一の貸与駐車場を選択したことに関する情報をサーバ４０１に送信して、サーバ４０１から一の貸与駐車場に関する情報を受信し、出力してもよい。【０１２４】
また、図９のフローチャートにおいては、ステップＳ８０５において貸与駐車場に関する情報を一覧表示または詳細な表示にしてもよいし、地図データに重畳して表示させてもよい。【０１２５】
（ナビゲーション装置による貸与可能時間が変更された場合の処理について）
つぎに、ナビゲーション装置による貸与可能時間が変更された場合の処理について説明する。図１０は、ナビゲーション装置による貸与可能時間が変更された場合の処理について示すフローチャートである。図１０のフローチャートにおいては、まず、サーバ４０１から貸与時間の変更に関する情報を受信したか否かを判断する（ステップＳ８１１）。ステップＳ８１１においてサーバ４０１から貸与時間の変更に関する情報を受信していないと判断された場合（ステップＳ８１１：Ｎｏ）、そのまま一連の処理を終了する。【０１２６】
一方、ステップＳ８１１においてサーバ４０１から貸与時間の変更に関する情報を受信したと判断された場合（ステップＳ８１１：Ｙｅｓ）、利用者の車両が貸与駐車場から移動可能か否かを判断する（ステップＳ８１２）。ステップＳ８１２において利用者の車両が貸与駐車場から移動可能か否かの判断は、たとえば利用者の目的地点における滞在予定に基づいて判断する。また、車両が電動式の車両の場合、充電の状況に基づいて判断してもよい。【０１２７】
ステップＳ８１２において利用者の車両が貸与駐車場から移動不可であると判断された場合（ステップＳ８１２：Ｎｏ）、そのまま一連の処理を終了する。この場合、サーバ４０１は、利用者の車両が貸与駐車場から移動不可であることに関する情報を貸与駐車場の所有者のナビゲーション装置や携帯電話に送信する。【０１２８】
一方、ステップＳ８１２において利用者の車両が貸与駐車場から移動可能であると判断された場合（ステップＳ８１２：Ｙｅｓ）、サーバ４０１から他の貸与駐車場に関する情報を受信するまで待機する（ステップＳ８１３：Ｎｏのループ）。ステップＳ８１３においてサーバ４０１から他の貸与駐車場に関する情報を受信した場合（ステップＳ８１３：Ｙｅｓ）、ディスプレイ６１３またはスピーカ６１０に、ステップＳ８１３において受信された他の貸与駐車場に関する情報を出力して（ステップＳ８１４）、一連の処理を終了する。【０１２９】
（貸与可能情報および貸与依頼情報の一例）
つぎに、図１１を用いて、貸与可能情報、貸与依頼情報およびステータス情報の一例について説明する。図１１は、貸与可能情報、貸与依頼情報およびステータス情報の一例について示す説明図である。図１１において、貸与可能情報９００には、たとえば貸与駐車場の所有者の固有情報（貸与者ＩＤ）と、貸与可能な日付、貸与可能な時間および期間（利用可能日時）と、貸与駐車場の位置情報（駐車場位置）と、充電設備の使用可否（充電可否／種別）と、属性（決済方式）が含まれている。なお、充電設備の使用可否と、決算方式とは、必須の項目ではなく、オプションであってもよい。充電設備の使用可否は、たとえば貸与駐車場に充電設備が備えられており、貸与駐車場の利用者に使用可能な場合、「可」となる。また、充電の種別は、高速充電か否かの情報である。このような、貸与可能情報９００は、貸与駐車場の所有者（１〜Ｎ）毎に記録されている。【０１３０】
また、貸与依頼情報９１０には、貸与駐車場の貸与を依頼した利用者の固有情報（依頼者ＩＤ）と、利用希望日時と、利用場所と、充電設備の利用有無と、属性（決済方式）と、が含まれている。したがって、図７のステップＳ７０５においては、貸与可能情報に、貸与依頼情報を照らし合わせることで、貸与依頼情報に合致した貸与駐車場を検索することができる。なお、充電設備の利用有無と、決済方式とは、必須の項目ではなく、オプションであってもよい。このような、貸与依頼情報９１０は、貸与依頼者（１〜Ｍ）毎に記録されている。【０１３１】
ステータス情報９２０は、どの駐車場にだれが貸与を受けているかを管理する情報であり、貸与駐車場の所有者の固有情報（貸与者ＩＤ）と、貸与を受ける、駐車場の利用者の固有情報（依頼者ＩＤ）とを関連付けた情報である。【０１３２】
なお、たとえば、図８のステップＳ７１１において変更通知信号を受信した場合、リスト中の該当する貸与可能情報が変更され、これがステータス情報にも反映される。【０１３３】
（サーバによる貸与駐車場の貸与処理）
つぎに、図１２を用いて、サーバ４０１による貸与駐車場の貸与処理について説明する。図１２は、サーバによる貸与駐車場の貸与処理について示す説明図である。図１２においては、たとえば第１ナビゲーション装置４１１の利用者が、自身の所有する駐車場（第１駐車場）１００１を空き状態にして、車両を移動させる場合について示している。【０１３４】
具体的には、たとえば第１ナビゲーション装置４１１の利用者が、自身の所有する駐車場１００１から午前１１時に出発して目的地点１００２に行く場合、目的地点１００２までの往復時間が２時間で、目的地点１００２における滞在予定時間が５時間であるため、第１駐車場１００１が空いている時間（貸与可能時間）は、午前１１時から午後６時までとなる。このとき、第４ナビゲーション装置４１４の利用者の目的地点が、第１駐車場１００１の周辺であり、駐車場の利用時間が午後１時から午後５時までの場合、利用時間が貸与可能時間である午前１１から午後６時までに収まるため、サーバ４０１から第４ナビゲーション装置４１４へ、第１駐車場に関する情報が送信される。【０１３５】
上述したように、営利目的の有料駐車場とは異なり、個人や企業の駐車場を利用する場合は利用時間の変更といった事態が想定されるが、実施例の駐車場管理システム４００によれば、第１ナビゲーション装置４１１〜第３ナビゲーション装置４１３の利用者によって登録された貸与駐車場を、第１ナビゲーション装置４１１〜第３ナビゲーション装置４１３の利用者から受け付けた貸与可能情報に基づいて管理することができる。そして、第４ナビゲーション装置４１４の利用者から受信した貸与依頼情報に応じた貸与駐車場を検索することができる。さらに、第１ナビゲーション装置４１１〜第３ナビゲーション装置４１３の利用者の貸与可能条件が変更し、貸与可能時間が貸与依頼時間より短くなった場合、他の貸与駐車場を検索し、第１ナビゲーション装置４１１〜第３ナビゲーション装置４１３または第４ナビゲーション装置４１４に、他の貸与駐車場に関する情報を送信することができる。これによって、利用者は、個人や法人が所有する駐車場を利用することができる。したがって、利用者は、たとえば営利目的の複数の車庫が設けられた駐車施設が目的地点の周辺にない場合でも、目的地点周辺に車両を駐車することができる。また、貸与駐車場の所有者は、たとえば緊急の用事で貸与可能時間が変更になり、利用者が貸与駐車場から移動できない場合、他の貸与駐車場に車両を駐車することができる。【０１３６】
以上説明したように、本発明の駐車場管理装置、端末装置、駐車場管理方法、貸与依頼情報送信方法、駐車場管理プログラム、貸与依頼情報送信プログラムおよび記録媒体によれば、駐車場の所有者によって登録された貸与可能な駐車場を検索することができる。【０１３７】
なお、本実施の形態で説明した駐車場管理方法および貸与依頼情報送信方法は、あらかじめ用意されたプログラムをパーソナル・コンピュータ、ワークステーション、携帯端末装置（携帯電話）などのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【符号の説明】
【０１３８】
１００  駐車場管理装置
１０１  登録受付部
１０２  貸与可能情報受付部
１０３  管理部
１０４  貸与依頼情報受信部
１０５  検索部
１０６  送信部
１０７  判断部
１０８  認証部
１０９  許可部
１１０  ステータス管理部
１２０  端末装置
１２１  出力部
１２２  利用情報受付部
１２３  生成部
１２４  通信部
１２５  制御部
【図１】
2010119509.tif 000003
【図２】
2010119509.tif 000004
【図３】
2010119509.tif 000005
【図４】
2010119509.tif 000006
【図５】
2010119509.tif 000007
【図６】
2010119509.tif 000008
【図７】
2010119509.tif 000009
【図８】
2010119509.tif 000010
【図９】
2010119509.tif 000011
【図１０】
2010119509.tif 000012
【図１１】
2010119509.tif 000013
【図１２】
2010119509.tif 000014
【手続補正書】
【提出日】平成23年2月14日(2011.2.14)
【手続補正１】
【補正対象書類名】特許請求の範囲
【補正対象項目名】全文
【補正方法】変更
【補正の内容】
【特許請求の範囲】
【請求項１】
駐車場の所有者から貸与可能な駐車場（以下、貸与駐車場とする）に関する情報の登録を受け付ける登録受付手段と、
前記所有者から前記貸与駐車場の貸与可能な条件を示す貸与可能情報を受け付ける貸与可能情報受付手段と、
前記貸与可能情報に基づいて、前記貸与駐車場の空き状況を管理する管理手段と、
利用者の有する端末装置から前記貸与駐車場の貸与を依頼するための貸与依頼情報を受信する貸与依頼情報受信手段と、
前記管理手段によって管理された前記貸与駐車場の空き状況に基づいて、前記貸与依頼情報受信手段によって受信された前記貸与依頼情報に応じた前記貸与駐車場を検索する検索手段と、
前記検索手段によって検索された前記貸与駐車場に関する情報を前記端末装置に送信する送信手段と、を備え、
前記貸与可能情報受付手段は、前記所有者から前記貸与駐車場の前記貸与可能情報の変更に関する情報を受け付け、
前記検索手段は、前記貸与駐車場の前記貸与可能情報の変更によって、変更後の貸与可能な日時に、前記貸与依頼情報に含まれる貸与依頼日時が収まらなくなった場合、前記管理手段によって管理された前記貸与駐車場の空き状況に基づいて、変更後の貸与可能な日時に収まらなくなった分の時間に空いている他の貸与駐車場を検索することを特徴とする駐車場管理装置。
【請求項２】
前記貸与可能情報受付手段は、前記貸与駐車場に備えられた電動式車両の充電設備の貸与可否に関する充電設備情報を受け付け、
前記管理手段は、前記駐車場の空き状況とともに、前記充電設備情報を管理し、
前記貸与依頼情報受信手段は、前記端末装置から、前記利用者が前記充電設備を使用するか否かに関する充電情報を含む前記貸与依頼情報を受信し、
前記検索手段は、前記管理手段によって管理された前記貸与駐車場の空き状況および前記充電設備情報に基づいて、前記貸与依頼情報受信手段によって受信された、前記充電情報を含む前記貸与依頼情報に応じた前記貸与駐車場を検索することを特徴とする請求項１に記載の駐車場管理装置。
【請求項３】
前記管理手段は、複数の前記貸与駐車場の空き状況を当該貸与駐車場または前記所有者の属性ごとに管理し、
前記検索手段は、同様の属性に含まれる前記貸与駐車場の中から、前記貸与依頼情報に応じた前記貸与駐車場を検索することを特徴とする請求項２に記載の駐車場管理装置。
【請求項４】
前記送信手段は、前記端末装置に、前記貸与駐車場の前記貸与可能情報の変更に関する情報を送信することを特徴とする請求項２または３に記載の駐車場管理装置。
【請求項５】
前記貸与可能情報受付手段は、前記貸与駐車場の所有者が、当該貸与駐車場に通常駐車している車両によって目的地点までの往復にかかる時間および当該目的地点における滞在予定時間を前記貸与可能情報として受け付けることを特徴とする請求項４に記載の駐車場管理装置。
【請求項６】
車両が前記貸与駐車場に到着したか否かを判断する判断手段と、
前記判断手段によって前記車両が前記貸与駐車場に到着したと判断された場合、当該車両の搭乗者が当該貸与駐車場の利用者か否かを認証する認証手段と、
前記認証手段によって前記貸与駐車場の利用者であると認証された場合、当該利用者に当該貸与駐車場の貸与を許可する許可手段と、
を備えることを特徴とする請求項５に記載の駐車場管理装置。
【請求項７】
（削除）
【請求項８】
（削除）
【請求項９】
駐車場管理装置における駐車場管理方法において、
駐車場の所有者から貸与可能な駐車場（以下、貸与駐車場とする）に関する情報の登録を受け付ける登録受付工程と、
前記所有者から前記貸与駐車場の貸与可能な条件を示す貸与可能情報を受け付ける貸与可能情報受付工程と、
前記貸与可能情報に基づいて、前記貸与駐車場の空き状況を管理する管理工程と、
利用者の有する端末装置から前記貸与駐車場の貸与を依頼するための貸与依頼情報を受信する貸与依頼情報受信工程と、
前記管理工程によって管理された前記貸与駐車場の空き状況に基づいて、前記貸与依頼情報受信工程によって受信された前記貸与依頼情報に応じた前記貸与駐車場を検索する検索工程と、
前記検索工程によって検索された前記貸与駐車場に関する情報を前記端末装置に送信する送信工程と、を含み、
前記貸与可能情報受付工程は、前記所有者から前記貸与駐車場の前記貸与可能情報の変更に関する情報を受け付け、
前記検索工程は、前記貸与駐車場の前記貸与可能情報の変更によって、変更後の貸与可能な日時に、前記貸与依頼情報に含まれる貸与依頼日時が収まらなくなった場合、前記管理工程によって管理された前記貸与駐車場の空き状況に基づいて、変更後の貸与可能な日時に収まらなくなった分の時間に空いている他の貸与駐車場を検索することを特徴とする駐車場管理方法。
【請求項１０】
（削除）
【請求項１１】
請求項９に記載の駐車場管理方法をコンピュータに実行させることを特徴とする駐車場管理プログラム。
【請求項１２】
（削除）
【請求項１３】
請求項１１に記載の駐車場管理プログラムを記録したことを特徴とするコンピュータに読み取り可能な記録媒体。
【手続補正２】
【補正対象書類名】明細書
【補正対象項目名】０００２
【補正方法】変更
【補正の内容】
【０００２】
い。したがって、たとえば目的地点の周辺に個人・法人が所有する車庫があり、この車庫が貸与可能な状況であっても、目的地点から比較的遠い営利目的の駐車施設に設けられた車庫を予約されてしまうため、車両を駐車してから目的地点まで到達するのに時間がかかるという問題がある。
［０００５］
なお、上述した問題は、車両の種類によらないが、特に電動式車両において顕在化することが想定される。すなわちガソリン車両に代わって電動式車両が今後普及していくと想定されるが、特に地方都市や山間部などの大都市以外の地域では、電動式車両の充電インフラの整備が間に合わない恐れがあり、自宅以外の目的地点周辺で利用者が充電インフラを利用できない問題が想定される。
課題を解決するための手段
［０００６］
上述した課題を解決し、目的を達成するため、請求項１の発明にかかる駐車場管理装置は、駐車場の所有者から貸与可能な駐車場（以下、貸与駐車場とする）に関する情報の登録を受け付ける登録受付手段と、前記所有者から前記貸与駐車場の貸与可能な条件を示す貸与可能情報を受け付ける貸与可能情報受付手段と、前記貸与可能情報に基づいて、前記貸与駐車場の空き状況を管理する管理手段と、利用者の有する端末装置から前記貸与駐車場の貸与を依頼するための貸与依頼情報を受信する貸与依頼情報受信手段と、前記管理手段によって管理された前記貸与駐車場の空き状況に基づいて、前記貸与依頼情報受信手段によって受信された前記貸与依頼情報に応じた前記貸与駐車場を検索する検索手段と、前記検索手段によって検索された前記貸与駐車場に関する情報を前記端末装置に送信する送信手段と、を備え、前記貸与可能情報受付手段は、前記所有者から前記貸与駐車場の前記貸与可能情報の変更に関する情報を受け付け、前記検索手段は、前記貸与駐車場の前記貸与可能情報の変更によって、変更後の貸与可能な日時に、前記貸与依頼情報に含まれる貸与依頼日時が収まらなくなった場合、前記管理手段によって管理された前記貸与駐車場の空き状況に基づいて、変更後の貸与可能な日時に収まらなくなった分の時間に空いている他の貸与駐車場を検索することを特徴とする。
［０００７］
【手続補正３】
【補正対象書類名】明細書
【補正対象項目名】０００３
【補正方法】変更
【補正の内容】
【０００３】
［０００８］
また、請求項９の発明にかかる駐車場管理方法は、駐車場管理装置における駐車場管理方法において、駐車場の所有者から貸与可能な駐車場（以下、貸与駐車場とする）に関する情報の登録を受け付ける登録受付工程と、前記所有者から前記貸与駐車場の貸与可能な条件を示す貸与可能情報を受け付ける貸与可能情報受付工程と、前記貸与可能情報に基づいて、前記貸与駐車場の空き状況を管理する管理工程と、利用者の有する端末装置から前記貸与駐車場の貸与を依頼するための貸与依頼情報を受信する貸与依頼情報受信工程と、前記管理工程によって管理された前記貸与駐車場の空き状況に基づいて、前記貸与依頼情報受信工程によって受信された前記貸与依頼情報に応じた前記貸与駐車場を検索する検索工程と、前記検索工程によって検索された前記貸与駐車場に関する情報を前記端末装置に送信する送信工程と、を含み、前記貸与可能情報受付工程は、前記所有者から前記貸与駐車場の前記貸与可能情報の変更に関する情報を受け付け、前記検索工程は、前記貸与駐車場の前記貸与可能情報の変更によって、変更後の貸与可能な日時に、前記貸与依頼情報に含まれる貸与依頼日時が収まらなくなった場合、前記管理工程によって管理された前記貸与駐車場の空き状況に基づいて、変更後の貸与可能な日時に収まらなくなった分の時間に空いている他の貸与駐車場を検索することを特徴とする。
［０００９］
【手続補正４】
【補正対象書類名】明細書
【補正対象項目名】０００４
【補正方法】変更
【補正の内容】
【０００４】
［００１０］
また、請求項１１の発明にかかる駐車場管理プログラムは、請求項９に記載の駐車場管理方法をコンピュータに実行させることを特徴とする。
［００１１］
［００１２］
また、請求項１３の発明にかかる記録媒体は、請求項１１に記載の駐車場管理プログラムをコンピュータに読み取り可能な状態で記録したことを特徴とする。
図面の簡単な説明
［００１３］
［図１］実施の形態にかかる駐車場管理装置および端末装置の機能的構成を示すブロック図である。
［図２］駐車場管理装置の駐車場管理処理手順を示すフローチャートである。
［図３］端末装置の貸与依頼情報送信処理手順を示すフローチャートである。
［図４］本実施例にかかる駐車場管理システムの概要について示す説明図である。
［図５］本実施例にかかるサーバのハードウェア構成を示すブロック図である。
［図６］本実施例にかかるナビゲーション装置のハードウェア構成を示すブロック図である。
［図７］サーバの処理の内容を示すフローチャートである。
［図８］サーバによる貸与可能時間が変更された場合の処理について示すフローチャートである。
［図９］ナビゲーション装置の処理の内容を示すフローチャートである。
［図１０］ナビゲーション装置による貸与可能時間が変更された場合の処理について示すフローチャートである。
［図１１］貸与可能情報、貸与依頼情報およびステータス情報の一例について示
【手続補正書】
【提出日】平成24年2月6日(2012.2.6)
【手続補正１】
【補正対象書類名】特許請求の範囲
【補正対象項目名】全文
【補正方法】変更
【補正の内容】
【特許請求の範囲】
【請求項１】
駐車場の所有者から貸与可能な駐車場（以下、貸与駐車場とする）に関する情報の登録を受け付ける登録受付手段と、
前記所有者から前記貸与駐車場の貸与可能な条件を示す貸与可能情報を受け付ける貸与可能情報受付手段と、
前記貸与可能情報に基づいて、前記貸与駐車場の空き状況を管理する管理手段と、
利用者の有する端末装置から前記貸与駐車場の貸与を依頼するための貸与依頼情報を受信する貸与依頼情報受信手段と、
前記管理手段によって管理された前記貸与駐車場の空き状況に基づいて、前記貸与依頼情報受信手段によって受信された前記貸与依頼情報に応じた前記貸与駐車場を検索する検索手段と、
前記検索手段によって検索された前記貸与駐車場に関する情報を前記端末装置に送信する送信手段と、を備え、
前記貸与可能情報受付手段は、前記所有者から前記貸与駐車場の前記貸与可能情報の変更に関する情報を受け付け、
前記検索手段は、前記貸与駐車場の前記貸与可能情報の変更によって、変更後の貸与可能な日時に、前記貸与依頼情報に含まれる貸与依頼日時が収まらなくなった場合、前記管理手段によって管理された前記貸与駐車場の空き状況に基づいて、変更後の貸与可能な日時に収まらなくなった分の時間に空いている他の貸与駐車場を検索することを特徴とする駐車場管理装置。
【請求項２】
前記貸与可能情報受付手段は、前記貸与駐車場に備えられた電動式車両の充電設備の貸与可否に関する充電設備情報を受け付け、
前記管理手段は、前記駐車場の空き状況とともに、前記充電設備情報を管理し、
前記貸与依頼情報受信手段は、前記端末装置から、前記利用者が前記充電設備を使用するか否かに関する充電情報を含む前記貸与依頼情報を受信し、
前記検索手段は、前記管理手段によって管理された前記貸与駐車場の空き状況および前記充電設備情報に基づいて、前記貸与依頼情報受信手段によって受信された、前記充電情報を含む前記貸与依頼情報に応じた前記貸与駐車場を検索することを特徴とする請求項１に記載の駐車場管理装置。
【請求項３】
前記管理手段は、複数の前記貸与駐車場の空き状況を当該貸与駐車場または前記所有者の属性ごとに管理し、
前記検索手段は、同様の属性に含まれる前記貸与駐車場の中から、前記貸与依頼情報に応じた前記貸与駐車場を検索することを特徴とする請求項２に記載の駐車場管理装置。
【請求項４】
前記送信手段は、前記端末装置に、前記貸与駐車場の前記貸与可能情報の変更に関する情報を送信することを特徴とする請求項２または３に記載の駐車場管理装置。
【請求項５】
前記貸与可能情報受付手段は、前記貸与駐車場の所有者が、当該貸与駐車場に通常駐車している車両によって目的地点までの往復にかかる時間および当該目的地点における滞在予定時間を前記貸与可能情報として受け付けることを特徴とする請求項４に記載の駐車場管理装置。
【請求項６】
車両が前記貸与駐車場に到着したか否かを判断する判断手段と、
前記判断手段によって前記車両が前記貸与駐車場に到着したと判断された場合、当該車両の搭乗者が当該貸与駐車場の利用者か否かを認証する認証手段と、
前記認証手段によって前記貸与駐車場の利用者であると認証された場合、当該利用者に当該貸与駐車場の貸与を許可する許可手段と、
を備えることを特徴とする請求項５に記載の駐車場管理装置。
【請求項７】
駐車場管理装置における駐車場管理方法において、
駐車場の所有者から貸与可能な駐車場（以下、貸与駐車場とする）に関する情報の登録を受け付ける登録受付工程と、
前記所有者から前記貸与駐車場の貸与可能な条件を示す貸与可能情報を受け付ける貸与可能情報受付工程と、
前記貸与可能情報に基づいて、前記貸与駐車場の空き状況を管理する管理工程と、
利用者の有する端末装置から前記貸与駐車場の貸与を依頼するための貸与依頼情報を受信する貸与依頼情報受信工程と、
前記管理工程によって管理された前記貸与駐車場の空き状況に基づいて、前記貸与依頼情報受信工程によって受信された前記貸与依頼情報に応じた前記貸与駐車場を検索する検索工程と、
前記検索工程によって検索された前記貸与駐車場に関する情報を前記端末装置に送信する送信工程と、を含み、
前記貸与可能情報受付工程は、前記所有者から前記貸与駐車場の前記貸与可能情報の変更に関する情報を受け付け、
前記検索工程は、前記貸与駐車場の前記貸与可能情報の変更によって、変更後の貸与可能な日時に、前記貸与依頼情報に含まれる貸与依頼日時が収まらなくなった場合、前記管理工程によって管理された前記貸与駐車場の空き状況に基づいて、変更後の貸与可能な日時に収まらなくなった分の時間に空いている他の貸与駐車場を検索することを特徴とする駐車場管理方法。
【請求項８】
請求項７に記載の駐車場管理方法をコンピュータに実行させることを特徴とする駐車場管理プログラム。
【請求項９】
請求項８に記載の駐車場管理プログラムを記録したことを特徴とするコンピュータに読み取り可能な記録媒体。
【手続補正２】
【補正対象書類名】明細書
【補正対象項目名】０００８
【補正方法】変更
【補正の内容】
【０００８】
また、請求項７の発明にかかる駐車場管理方法は、駐車場管理装置における駐車場管理方法において、駐車場の所有者から貸与可能な駐車場（以下、貸与駐車場とする）に関する情報の登録を受け付ける登録受付工程と、前記所有者から前記貸与駐車場の貸与可能な条件を示す貸与可能情報を受け付ける貸与可能情報受付工程と、前記貸与可能情報に基づいて、前記貸与駐車場の空き状況を管理する管理工程と、利用者の有する端末装置から前記貸与駐車場の貸与を依頼するための貸与依頼情報を受信する貸与依頼情報受信工程と、前記管理工程によって管理された前記貸与駐車場の空き状況に基づいて、前記貸与依頼情報受信工程によって受信された前記貸与依頼情報に応じた前記貸与駐車場を検索する検索工程と、前記検索工程によって検索された前記貸与駐車場に関する情報を前記端末装置に送信する送信工程と、を含み、前記貸与可能情報受付工程は、前記所有者から前記貸与駐車場の前記貸与可能情報の変更に関する情報を受け付け、前記検索工程は、前記貸与駐車場の前記貸与可能情報の変更によって、変更後の貸与可能な日時に、前記貸与依頼情報に含まれる貸与依頼日時が収まらなくなった場合、前記管理工程によって管理された前記貸与駐車場の空き状況に基づいて、変更後の貸与可能な日時に収まらなくなった分の時間に空いている他の貸与駐車場を検索することを特徴とする。
【手続補正３】
【補正対象書類名】明細書
【補正対象項目名】００１０
【補正方法】変更
【補正の内容】
【００１０】
また、請求項８の発明にかかる駐車場管理プログラムは、請求項７に記載の駐車場管理方法をコンピュータに実行させることを特徴とする。
【手続補正４】
【補正対象書類名】明細書
【補正対象項目名】００１２
【補正方法】変更
【補正の内容】
【００１２】
また、請求項９の発明にかかる記録媒体は、請求項８に記載の駐車場管理プログラムをコンピュータに読み取り可能な状態で記録したことを特徴とする。
【国際調査報告】
2010119509.tif 000015
2010119509.tif 000016
2010119509.tif 000017